(57)【要約】　　　（修正有）【課題】通気性に優れ遮光効果と防暑効果を兼備し、しかも軽量かつ丈夫で着用性のよい日除け用シートを提供する。【解決手段】遮光処理を施したテープ状ヤーン２が通気可能な隙間Ｓを存して並列状に配されてなる表層１１と、経糸挿入糸３よりなる通気可能な空隙Ｋを有する裏層１２との２層構造であり、テープ状ヤーン２が、経糸挿入糸３を含む経編組織に対し、編幅方向に略直線状に引き揃えられて略フラットな状態で並列状に緯糸として挿入され、該経編組織の表面側において経糸４により保持される。【選択図】　　図２
0003098944.tif 000002
【実用新案登録請求の範囲】
【請求項１】
帽子に装着するカバー、ベストやコートなどの上衣類等の日除け用具に使用する日除け用シートであって、
編織手段により一体に製され、遮光処理を施したテープ状ヤーンが通気可能な隙間を存して並列状に配されてなる表層と、他の繊維糸よりなる通気可能な空隙を有する裏層との２層構造をなしていることを特徴とする日除け用シート。
【請求項２】
緯糸挿入経編方式で編成されてなり、表層を構成する前記テープ状ヤーンが緯糸として、前記他の繊維糸を含んでなる経編組織に対し、編幅方向に略直線状に引き揃えられて略フラットな状態で並列状に挿入されてなる請求項１に記載の日除け用シート。
【請求項３】
前記経編組織が、経方向の編目列を形成する編目形成糸と、複数の編目列間に渡って横振り挿入される挿入糸としての前記他の繊維糸とよりなり、該繊維糸が裏層として前記編目列間で並列状をなしており、該経編組織の表面側において前記編目形成糸により前記テープ状ヤーンが保持されてなる請求項２に記載の日除け用シート。
【請求項４】
前記経編組織における各編目列間の間隔が、１０〜３０ｍｍである請求項３に記載の日除け用シート。
【請求項５】
前記遮光処理が施されたテープ状ヤーンが、金属蒸着層あるいは金属箔層により銀面化した反射性及び遮光性を有するフィルムよりなる請求項３または４に記載の日除け用シート。
【請求項６】
前記テープ状ヤーンが、合成樹脂フィルムにアルミニウム等の金属蒸着を施し、さらに蒸着層の上に合成樹脂皮膜層を設けた蒸着フィルムをスリットして得られた蒸着テープよりなる請求項５に記載の日除け用シート。
【請求項７】
前記他の繊維糸が合成樹脂フィルムからなるテープ状ヤーンで、白系色をなしている請求項６に記載の日除け用シート。
【考案の詳細な説明】
【０００１】
【考案の属する技術分野】
本考案は、農作業や工事現場などの炎天下の野外作業において、日焼け防止及び防暑対策用具に使用される日除け用シートに関する。
【０００２】
【従来の技術】
農作業、工事現場や交通整理などの野外作業における日焼け防止や防暑対策として、被い付き帽子や麦わら帽子、長袖上衣の着用、タオル等の利用によって直射日光を遮蔽し肌身を守ることが一般的に行われている。
【０００３】
従来より、帽子の首廻り部分や上衣に遮光材料を用いたものがあり、この遮光材料としては、経糸にポリエチレンフィルム上にアルミニウム蒸着層と無延伸ポリエチレンフィルムを積層してなるテープを、緯糸にモノフィラメントやマルチフィラメント糸を用いて織成及び／または編成したものが使用されている（特許文献１参照）。
【０００４】
【特許文献１】
実用新案登録第３０７５４５５号公報
【０００５】
【考案が解決しようとする課題】
このような遮光材料は、炎天下の作業において直射日光に対する遮光効果を発揮し、日焼け防止対策としては優れたものである。しかしながら、経糸と緯糸とで織成された上記遮光材料では、経糸と緯糸とが密に織り合わされるため経糸のテープ同士が密となって通気性に欠け、帽子や上衣内の熱や汗の湿気が内側にこもり内部温度を低下させる効果に欠け、さらに不快感も大きくなり防暑対策としては十分なものとは言えない。
【０００６】
また、経糸のテープと緯糸との１層構成であるので強度が十分でなく、その割にはテープが密に列びシートが剛直となって着用性に劣り、重量も大きくなって作業効率を低下させる一因となり、軽量で丈夫であって着用性のよい遮光性と防暑性に優れた日除け用材料が望まれている。
【０００７】
そこで本考案の目的は、通気性に優れ遮光効果と防暑効果を兼備し、しかも軽量かつ丈夫であり、着用性のよい炎天下における野外作業の日焼け防止、防暑対策に適した日除け用シートを提供することにある。
【０００８】
【課題を解決するための手段】
本考案の日除け用シートは、帽子に装着するカバー、ベストやコートなどの上衣類等の日除け用具に使用する日除け用シートであって、編織手段により一体に製され、遮光処理を施したテープ状ヤーンが通気可能な隙間を存して並列状に配されてなる表層と、他の繊維糸よりなる通気可能な空隙を有する裏層との２層構造をなしていることを特徴とする。
【０００９】
本考案の日除け用シートによれば、遮光処理を施したテープ状ヤーンが通気可能な隙間を存して並列状に配されてなる表層と、他の繊維糸よりなる通気可能な空隙を有する裏層との２層構造をなすことで、表層により直射日光を遮断し直射日光や熱を反射して日焼けを防ぐと共に、テープ状ヤーンの隙間と繊維糸間の空隙部により遮熱効果、通気性を向上しシート内の温度上昇を抑え内部の熱のこもりを防ぎ防暑効果を向上することができる。しかも、シートの強度が高く軽量であり、かつシートに柔軟性を与えて着用性を向上し、炎天下の作業環境を改善し作業効率の向上を図ることができる。
【００１０】
この場合、緯糸挿入経編方式で編成されてなり、表層を構成する前記テープ状ヤーンが緯糸として、前記他の繊維糸を含んでなる経編組織に対し、編幅方向に略直線状に引き揃えられて略フラットな状態で並列状に挿入されてなることが好ましく、緯糸挿入装置付き経編機を用いて日除け用シートを容易に作製することができ、テープ状ヤーンのフラット性を保持し直射日光の遮断効果を向上することができる。
【００１１】
さらに、前記経編組織が、経方向の編目列を形成する編目形成糸と、複数の編目列間に渡って横振り挿入される挿入糸としての前記他の繊維糸とよりなり、該繊維糸が裏層として前記編目列間で並列状をなしており、該経編組織の表面側において前記編目形成糸により前記テープ状ヤーンが保持されてなる日除け用シートであると、テープ状ヤーンが並列状態でフラット状に安定して保持され、また裏層の他の繊維糸も表層のテープ状ヤーンと同方向の並列状をなすことにより通気性がさらに良好なものとなる。
【００１２】
前記日除け用シートにおいて、前記経編組織における各編目列間の間隔が、１０〜３０ｍｍであることが好ましく、これによりテープ状ヤーンの表層フラット性を確保し、２層構造のシートとしての一体性を保持することができる。
【００１３】
また、前記遮光処理が施されたテープ状ヤーンが、金属蒸着層あるいは金属箔層により銀面化した反射性及び遮光性を有するフィルムよりなる日除け用シートであると、銀面化によって直射日光や熱を反射し、熱をシート内部に吸収することなく防暑効果を更に向上することができる。
【００１４】
前記テープ状ヤーンが、合成樹脂フィルムにアルミニウム等の金属蒸着を施し、さらに蒸着層の上に合成樹脂皮膜層を設けた蒸着フィルムをスリットして得られた蒸着テープよりなると、テープ状ヤーンの金属蒸着層が保護され防暑効果を長期間維持することができるようになる。
【００１５】
さらに、前記他の繊維糸が合成樹脂フィルムからなるテープ状ヤーンで、白系色をなすものであると、シートの通気性や強度、及び着用性と軽量化を確保し、かつ照り返しを防御し防暑性を向上し、清涼感を向上する効果も得られる。
【００１６】
【考案の実施の形態】
以下に、本考案の実施の形態を図面を参照して説明する。
【００１７】
図１は実施形態の日除け用シート１の正面図、図２はシート１の背面図である。図において符号２は緯糸として表層１１を構成する遮光処理を施したテープ状ヤーン、３はテープ状ヤーンからなる経糸挿入糸、４は経糸、Ｓはテープ状ヤーン２間の隙間、Ｋは経糸挿入糸３間の空隙、Ｐは編目である。
【００１８】
本考案の日除け用シート１は、遮光処理を施したテープ状ヤーン２が通気可能な隙間Ｓを存して並列状に配されてなる表層１１と、他の繊維糸よりなる通気可能な空隙Ｋを有する裏層１２とによる２層構造のシートである。
【００１９】
本考案の日除け用シート１は、図１，２に示すように、表層に遮光処理が施されたテープ状ヤーン２を隙間Ｓを設けてフラットな状態で引き揃えて配列したものを緯糸として、その裏面に白系色のテープ状ヤーンでなる経糸挿入糸３が横振りで波打ち状に配され、経糸４によりテープ状ヤーン２と経糸挿入糸３とが製編され形成されたものである。
【００２０】
日除け用シート１は、緯糸挿入経編方式で製編することができ、表層１１を構成するテープ状ヤーン２が緯糸となり、編幅方向に略直線状に引き揃えられて略フラットな状態で並列状に、他の繊維糸としての経糸挿入糸３を含む経編組織に対して挿入されている。
【００２１】
前記経編組織は、経方向の編目列を形成する編目形成糸である経糸４と、複数の編目列間に渡って横振り挿入される経糸挿入糸３とよりなり、この経糸挿入糸３が裏層１２として編目列間で並列状に並び、該経編組織の表面側において経糸４によりテープ状ヤーン２が保持され２層構造のシート１を形成している。
【００２２】
上記経編組織における各編目列間の間隔、すなわち経糸４の編目Ｐ間の間隔は、１０〜３０ｍｍであることが好ましく、これによりテープ状ヤーンの表層フラット性を確保し、２層構造のシートとしての一体性を保持することができ、この間隔が１０ｍｍ未満であると通気性の低下やシート剛直性が増し着用性が悪くなり、また３０ｍｍを超えると表層フラット性や一体性が悪化する。
【００２３】
上記日除け用シート１は、例えば、経糸挿入糸３と経糸４を緯糸挿入装置を備える経編機に掛け、テープ状ヤーン２をフラットな状態で緯糸として並列状に挿入しながら製編することにより表層１１のテープ状ヤーン２と裏層１２の経糸挿入糸３とが編目Ｐにおいて経糸４により一体化され２層構造からなる日除け用シート１を製作することができる。
【００２４】
テープ状ヤーン２間の隙間Ｓと経糸挿入糸３の空隙部Ｋは、シート１の遮光性と通気性とが両立する範囲であればよく、隙間Ｓと空隙部Ｋはテープ状ヤーン２の配列間隔と経糸挿入糸３の横振り挿入形態及び経糸４の編み目ピッチにより調整することができる。
【００２５】
本考案の日除け用シート１において使用するテープ状ヤーン２は、遮光処理を施した合成樹脂フィルムを細帯状にスリットしたものを使用することができる。
【００２６】
この合成樹脂フィルムとしては、例えば、高密度や低密度、線状低密度のポリエチレン、ポリプロピレン、ポリエチレンテレフタレート（ＰＥＴ）やポリエチレン−２，６−ナフタレート等のポリエステル樹脂、ナイロン６、６６等の脂肪族ポリアミド樹脂、ポリ塩化ビニルなどの各種の熱可塑性樹脂の１軸延伸或いは２軸延伸フィルムが挙げられ、シートの耐熱性や耐久性を重視する場合はポリエステル樹脂やポリアミド樹脂などの強度や融点の高い樹脂が好ましい。
【００２７】
このフィルムの厚みは特に限定されることはないが、１０〜５００μｍ程度であることが好ましい。厚みが薄すぎると強度が低くシートの耐久性が得られず、また５００μｍを越えて厚くなるとフィルムの剛性が高くなってシートが剛直になりすぎ帽子や上衣への適用が困難となり、また重量が増加し好ましくない。
【００２８】
樹脂フィルムの遮光処理は、フィルム表面に金属を蒸着するものが好ましく、中でも融点が低く蒸着処理が容易であり、コスト的にも有利であるアルミニウムの蒸着層をフィルム表面に形成したものが好ましい。さらに、アルミニウム層の酸化や腐食からの保護のために、透明な樹脂皮膜層をラミネート或いはコーティングしたものを使用することもできる。
【００２９】
また、フィルムの遮光処理としては、アルミ箔等の金属箔をフィルム表面に積層するもの、酸化チタンや酸化亜鉛、炭酸カルシウムなどの白色顔料を樹脂に混練し製膜した白色フィルムなど、遮光性に優れるフィルムであれば使用することができ、遮光率が６０％以上、好ましくは７０％以上であることが望ましい。
【００３０】
本考案において使用するテープ状ヤーン２は、上記の遮光処理済みの合成樹脂フィルムを公知のスリッター等の裁断機を用いて、所定幅の細帯状にスリット加工して得ることができる。スリット幅は、シートの用途により適宜選択すればよいが、製編性やシートの柔軟性、着用性の観点から１〜１０ｍｍ程度のものが使用される。
【００３１】
図３は、テープ状ヤーン２の１例を示すヤーン断面図である。図に示すように、テープ状ヤーン２は所定の厚みに製膜されたＰＥＴフィルムの基材２ａの片面に５００オングストローム程度のアルミニウム蒸着層２ｂを蒸着し、さらにアルミニウム蒸着面に透明なポリエチレンフィルムでラミネート層２ｃを形成している。
【００３２】
日除け用シート１の裏層１２に配される繊維糸としての経糸挿入糸３は、挿入糸３相互間に適度な間隔を設けて並列され上記テープ状ヤーン２と共にシート１の通気性を確保し、表層１１からの照り返しを防御する繊維層を形成するものであり、表層１１との２層構造によりシート１の強度を確保し、しかも軽量であり柔軟性を兼備して着用性を向上するものが好ましい。
【００３３】
この挿入糸３としては、ポリエステルやナイロン、アクリル等の合成繊維のマルチフィラメント糸、それら合成繊維の紡績糸、或いは綿や麻などの天然繊維糸を使用することができるが、通気性と着用性の確保、強度と軽量化との両立や製編性向上の観点から、これらの合成樹脂フィルムをスリットしたテープ状ヤーンを用いるのが好ましい。このテープ状ヤーンとしては厚み１０〜３００μｍ、スリット幅２〜１０ｍｍ程度が好ましい範囲である。
【００３４】
さらに、この挿入糸３は白系色系統の色であることが好ましく、この白系色の作用により照り返しを防御する効果をより向上することができる。この白系色は照り返し防御効果を発揮するものであれば、淡く青色や灰色がかった淡白色のものでもよい。
【００３５】
また、編目形成糸である経糸４としては、比較的細くかつ強度に優れるものが用いられ、例えば、ポリエステルやナイロン、アクリル等のモノフィラメントやマルチフィラメント糸が好適である。
【００３６】
本考案の日除け用シート１は、農作業や工事現場の野外作業で着用する帽子、ヘルメット等に装着して顔面から首周りを覆う日焼け防止用及び防暑用カバーとして、日光を遮蔽し照り返しを防御するためのベストやコートなどの上衣に加工され防暑用品として使用される。また魚釣り用、登山用、スポーツ用や各種レジャー用品等の日焼け防止、遮光、防暑用途にも勿論使用することができる。
【００３７】
（実施例）
以下、実施例により本考案を更に詳しく説明する。
【００３８】
［実施例１］
図４は、日除け用シート１を用いた帽子用カバー６をヘルメットＨに装着した斜視図である。
【００３９】
帽子用カバー６は、カバー本体６１とカバー上部両端部に設けた装着用の紐６２（ゴムバンド、ホック等の留め具を持つ装着手段等でもよい）からなり、紐６２によりヘルメットＨの庇などに結び付けて固定し装着されるもので、簡単にヘルメットＨへの着脱が可能な構造になっている。
【００４０】
カバー本体６１に用いた日除け用シート１は、表層１１のテープ状ヤーン２と裏層１２の経糸挿入糸３とが経糸４により製編されて一体化した図１，２に示す２層構造のシートである。
【００４１】
日除け用シート１に用いたテープ状ヤーン２は、図３に示すような断面構造を有し、２軸延伸法により薄膜した厚み３０μｍのＰＥＴフィルム２ａの片面に５００オングストロームのアルミニウム蒸着層２ｂを蒸着し、さらにこの蒸着面に厚み１５μｍの中密度ポリエチレンフィルム層２ｃをラミネートした後、３ｍｍ幅にスリットしたものであり、経糸挿入糸３は酸化チタンを混練し白色化した厚み２５μｍのＰＥＴフィルムを２ｍｍ幅にスリットしたテープ状ヤーンを用い、経糸４にはナイロン製５６０デシテックスのマルチフィラメント糸を用いて通常の緯糸挿入装置付き経編機を使用して２層構造に製編したシートであり、８０％程度の遮光率を確保することができる。
【００４２】
この帽子用カバー６をヘルメットＨに装着することで、炎天下における野外作業での顔面や首部への直射日光、赤外線を反射して日焼けを防止し、さらに通風性がよく内部に熱や湿気がこもることがないので防暑効果が大きく首部を涼しくし、軽量かつ丈夫であり、また裏層の経糸挿入糸３が適度な柔軟性をシート１に付与することで着用性を向上し長時間の作業でも快適さを損なうことがなく作業効率を維持することができる。
【００４３】
なお、日除け用シート１のテープ状ヤーン２（緯糸）は帽子用カバー６の縦方向に用いるのが、上記着用性や雨水等の遮水性の点から好ましい。
【００４４】
［実施例２］
図５は、実施例１で用いた日除け用シート１を背部に配して縫製加工した遮熱用ベスト７の概略図であり、（ａ）は正面図、（ｂ）は背面図である。
【００４５】
ベスト７は背後からの直射日光や照り返しを防御するもので、背部７１に日除け用シート１を使用し、前面にはベスト７を着用し固定するためのベルト７２を有し、簡単に着脱が可能な構造になっている。この場合も、テープ状ヤーン２（緯糸）をベスト７の縦方向に用いるのが好ましい。
【００４６】
このベスト７を通常の作業着の上に着用することで、炎天下における背後からの直射日光をテープ状ヤーン２が反射し、かつ内側の白色の経糸挿入糸３が照り返しを防御し、さらに通風性がよく内部に熱や湿気がこもることがなく、作業者の背部の温度上昇を抑えて涼しく保つことができ、また軽量かつ丈夫であり、適度な柔軟性を有することから着用による違和感を感じることなく運動性を損なわず作業効率を向上することができる。
【００４７】
【考案の効果】
以上説明した通り、本考案の日除け用シートによれば、通気性に優れ遮光効果と防暑効果を兼備するもであり、しかも軽量かつ丈夫であって着用性も良好であるので、炎天下における日焼け防止、防暑対策用具に使用するのに最適なシート材料が得られ、このシートを帽子用カバーやベスト等に適用することで、炎天下での作業環境を大幅に改善し作業効率を向上することができる。
【図面の簡単な説明】
【図１】実施形態の日除け用シートの正面図である。
【図２】実施形態の日除け用シートの背面図である。
【図３】実施形態のテープ状ヤーンの断面図である。
【図４】実施例の帽子用カバーの斜視図である。
【図５】実施例のベストの概略図である。
【符号の説明】
１……日除け用シート
１１……表層
１２……裏層
２……テープ状ヤーン
３……経糸挿入糸
４……経糸
６……帽子用カバー
７……ベスト
Ｓ……隙間
Ｋ……空隙
【図１】
0003098944.tif 000003
【図２】
0003098944.tif 000004
【図３】
0003098944.tif 000005
【図４】
0003098944.tif 000006
【図５】
0003098944.tif 000007